(57)【要約】      （修正有）【課題】輸送中における花卉の損傷を防ぐ花冠支持部材を提供する。【解決手段】花の萼部に対応する位置に萼部を収容・支持する凹部を備え、凹部の底部に花の花軸を挿通するための挿通部を備える花冠支持部材。【選択図】図３
0003122314.tif 000002
【実用新案登録請求の範囲】
【請求項１】
植物の花を支持する花冠支持部材であって、
前記花の萼部に対応する位置に前記萼部を収容・支持する凹部を備え、
前記凹部の底部に前記花の花軸を挿通するための挿通部を備えていることを特徴とする花冠支持部材。
【請求項２】
前記凹部の周囲に前記花全体を保護するための保護部をさらに備えていることを特徴とする、請求項１に記載の花冠支持部材。
【請求項３】
前記保護部が、中央部付近に前記挿通部を備えた板状部材の外周縁から前記挿通部に至る切断部を備え、前記切断部の端縁を重ね合わせるかまたは繋ぎ合わせることができることを特徴とする、請求項２に記載の花冠支持部材。
【請求項４】
前記凹部の周囲に前記花の花弁の損傷を防止するための周辺部をさらに備えていることを特徴とする、請求項１に記載の花冠支持部材。
【請求項５】
前記周辺部が、中央部付近に前記挿通部を備えた板状部材の外周縁から前記挿通部に至る切断部を備え、前記切断部の端縁を重ね合わせるかまたは繋ぎ合わせることができることを特徴とする、請求項４に記載の花冠支持部材。
【考案の詳細な説明】
【技術分野】
【０００１】
本考案は、切り花の損傷、特に輸送中における花冠の損傷を防ぐ花冠支持部材に関する。
【背景技術】
【０００２】
切り花を生産者から出荷する際には、輸送中に切り花が損傷しないようにするためにスリーブやガーベラキャップなどが用いられている（特開平１０−２１８２００号公報、特開２００３−２４６３８５号公報など）。しかしながら、このようなスリーブやガーベラキャップを用いても、輸送中における切り花の損傷を防ぐには十分とはいえない。また、花卉市場においては花が大きく、傷んでいないものほど花卉の価値が高く評価されるところ、輸送中における切り花の損傷を最小限にするためには、蕾の状態で出荷せざるを得ない状況であり（「花の切り前」（フローリスト編集部編、誠文堂新光社、１９９４年）参照）、このために購入後花が十分に開花することなく傷んでしまうことが多く、購入者が切り花を十分に楽しめていないのが実情である。
【考案の開示】
【考案が解決しようとする課題】
【０００３】
本考案は、輸送中における花卉の損傷を防ぐ花冠保持部材を提供することを目的とする。
【課題を解決するための手段】
【０００４】
本考案の花冠支持部材は、植物の花を支持する花冠支持部材であって、花の萼部に対応する位置に萼部を収容・支持する凹部を備え、凹部の底部に花の花軸を挿通するための挿通部を備えていることを特徴とする。
【０００５】
本考案の花冠支持部材は、凹部の周囲に花全体を保護するための保護部をさらに備えていることを特徴とする。
【０００６】
本考案の花冠支持部材はまた、保護部が、中央部付近に挿通部を備えた板状部材の外周縁から挿通部に至る切断部を備え、切断部の端縁を重ね合わせるかまたは繋ぎ合わせることができる花冠支持部材であってもよい。
【０００７】
本考案の花冠支持部材は、凹部の周囲に花弁の損傷を防止するための周辺部をさらに備えていることを特徴とする。
【０００８】
本考案の花冠支持部材はまた、周辺部が、中央部付近に挿通部を備えた板状部材の外周縁から挿通部に至る切断部を備え、切断部の端縁を重ね合わせるかまたは繋ぎ合わせることができる花冠支持部材であってもよい。
【考案の効果】
【０００９】
本考案の花冠保持部材を用いることにより、輸送中における花冠の損傷を防ぐことができる。また、本考案の花冠保持部材を用いれば、花を十分に開花させた後で切り花として出荷することが可能になり、購入者が切り花を十分に楽しめるようにすることができる。
【考案を実施するための最良の形態】
【００１０】
本考案の花冠支持部材を図面に示す実施例に基づいて説明する。
【００１１】
図１に、本考案の花冠支持部材の一例の（ａ）平面図および（ｂ）正面図、ならびに（ｃ）花冠支持部材を花冠に取り付けた例を示す。図１において、本考案の花冠支持部材は、花の萼部１に対応する位置に萼部１を収容・支持する凹部３を備え、凹部３の底部に花の花軸２を挿通するための挿通部４を備えている。凹部３は、萼部１の形状に合わせて成型することもできる。図１（ｃ）に示すように、切り花の花軸２を挿通部４に挿通することにより、花の萼部１を凹部３で支持することができる。
【００１２】
本考案の花冠支持部材は、凹部の周囲に花弁がすれるのを防止するための周辺部８をさらに備えることが好ましい。周辺部８は、必ずしも花冠に沿った形状である必要はなく、輸送時に花冠の損傷を防止できる形状であれば特に限定されず、例えば図１に例示するように、円盤状のものであってもよい。このように周辺部８を設けることにより、例えば切り花を寝かせた状態で輸送する場合に花冠の損傷を防止することができる。
【００１３】
本考案の花冠支持部材はまた、挿通部４が孔またはスリットであることを特徴とする。挿通部４は、花の花軸２を挿通するために十分な大きさであり、かつ花冠支持部材が花冠を支持する機能を妨げない大きさであればよい。挿通部４は好ましくは孔である。
【００１４】
本考案の花冠支持部材の挿通部４は、中央部から放射方向に複数形成されているスリットであってもよい。
【００１５】
本考案の花冠支持部材の挿通部４はまた、開閉自在の孔またはスリットであってもよい。
【００１６】
図２に、補強部材を備える本考案の花冠支持部材の一例の（ａ）平面図および（ｂ）正面図を示す。本考案の花冠支持部材は、図２に示すように、凹部３の中心部分に補強部材７をさらに備えていてもよい。特に、花冠支持部材に用いる主材料に花冠を支持するために必要な強度が不足している場合には、凹部３の中心部分に補強部材７を加えることにより、その強度を補うことができる。補強部材７を用いる場合には、補強部材７の底部に花の花軸２を挿通するための挿通部を設ける。補強部材７は花冠支持部材の強度を補うことができるものであればよく、補強部材７を設ける方法としては、例えば凹部３の中心部分に別個の材料を足してもよいし、花冠支持部材の主材料と同じものを足して凹部３の中心部分の厚みを厚くしてもよいし、また主材料に襞を設けるなどして強度を上げた構造にしてもよいが、これらに限定されない。補強部材７を足すことによって補強する場合に、補強部材７は凹部３のどちら側の面に備えられていてもよい。図２に示す花冠支持部材を用いて、切り花の花軸２を挿通部４に挿通することにより、花の萼部１を補強部材７で補強された凹部３で支持することができる。
【００１７】
図３および図４に、保護部５を備える本考案の花冠支持部材の一例の（ａ）平面図および（ｂ）正面図、ならびに（ｃ）花冠支持部材を花冠に取り付けた例を示す。本考案の花冠支持部材は、図３および図４に示すように、凹部３の周囲に花全体を保護するための保護部５をさらに備えることができる。保護部５の形状は特に限定されず、花冠の形状および大きさに合わせて作製されることが好ましく、例えば円錐面タイプ（図３）や円筒タイプ（図４）であってもよいがこれらに限定されない。また、花冠を傷めない範囲において、保護部５の形状を例えば星形やハート形などにすることにより、花冠の形状を保護部５の形状に合わせて花に変化を付けることもできる。図３および図４に示すように花冠の大きさに合わせて凹部３の周囲に保護部５を設けることにより、花弁を含む花全体を保護することができる。
【００１８】
図５に、切断部を備える本考案の花冠支持部材の一例を示す。本考案の花冠支持部材は、図５に示すように、保護部５が、中央部付近に孔またはスリットを備えた板状部材の外周縁から孔またはスリットに至る切断部６を備え、切断部６の端縁を重ね合わせるかまたは繋ぎ合わせることができる花冠支持部材であってもよい。また、周辺部８が、中央部付近に孔またはスリットを備えた板状部材の外周縁から孔またはスリットに至る切断部６を備え、切断部６の端縁を重ね合わせるかまたは繋ぎ合わせることができる花冠支持部材であってもよい。切断部６の形状は、例えば直線であるがこれに限定されない。
【００１９】
切断部６を備えないタイプの花冠支持部材（図１から４）および切断部６を備えるタイプ（図５）の花冠支持部材は、花卉に合わせて適宜選択することができる。例えば葉が小さい花卉や棘がない花卉の場合には、切断部６を備えないタイプの花冠支持部材（図１から４）の挿通部４に花軸を通すことができるが、例えば葉が大きい花卉や棘がある花卉の場合には、切断部６を備えないタイプの花冠支持部材の挿通部４に花軸を通そうとすると花卉を傷めてしまうため、切断部６を備えるタイプ（図５）の花卉支持部材を花冠に巻き付けて止めることにより花冠支持部材を取り付けるのが好ましい。花冠が大きい花卉に用いる花冠支持部材は、強度の観点から、切断部６を備えないタイプのものが好ましいと考えられる。
【００２０】
切断部６を備えるタイプの花冠支持部材は、例えば切断部６の端縁を重ね合わせて接着剤で止めるなどの方法により繋ぎ合わせることができるが、繋ぎ合わせる方法はこれに限定されない。
【００２１】
本考案の花冠支持部材は、本考案の目的を達成することができるものであれば、どのような材質の材料を用いてもよいが、花冠を支持すると共に、花の乾燥を防ぎ、かつ通気性のよいものがより好ましい。吸水性の材料を用いる場合には、花の水分が花冠支持部材に吸収されることによる花の傷みを防ぐために、少なくとも花弁が触れる面は防水加工されていることが好ましい。花冠支持部材は、花冠の大きさに合わせて作製されることが好ましく、また花冠の形状に合わせて成型することもできる。花冠支持部材に用いる材料としては、例えばプラスチック、紙、化学繊維、不織布およびそれらの組合せなどが挙げられるが、これらに限定されない。
【００２２】
上述のような本考案の花冠支持部材を切り花の花冠に取り付けることにより、切り花を出荷することができる。切り花の輸送は、通常バケツなどの容器に切り花を立てた状態や箱の中に切り花を寝かせた状態で行われるが、本考案の花冠支持部材を用いて出荷・輸送することにより、花冠同士の接触や花冠自体の重みなどによる花卉の傷みを抑えることができ、輸送中における切り花の損傷を防ぐことができる。
【００２３】
なお、本考案の花冠支持部材は、切り花の輸送中の損傷を防ぐことを目的とするものであり、切り花の購入者が購入後本考案の花冠支持部材を切り花から取り外して飾ることを想定してはいるが、花冠支持部材のデザインを工夫すれば、切り花を購入した後においても花冠支持部材を切り花から取り外すことなくそのまま飾ることもできる。
【実施例１】
【００２４】
図３および４に示すように、大きく開花させた“ＲＥＬＥＡＳＩＡ”（登録商標）カーネーションの切り花（花弁の長さ：約60mm、花冠半径：約50mm）を本考案の花冠支持部材（図３（ｃ）では円錐の母線La：約70mm、円錐の底面に相当する部分の半径Ra：約55mm；図４（ｃ）では円錐の母線Lb：約50mm、円筒の高さHb：約40mm、円筒の半径Rb：約60mm）の挿通部４に挿通し、花冠支持部材を花冠に取り付け、箱の中に寝かせた状態で出荷した。この結果、輸送中における切り花の損傷は見られず、本考案の花冠支持部材の有用性が実証された。
【図面の簡単な説明】
【００２５】
【図１】図１は、本考案の花冠支持部材の一例の（ａ）平面図および（ｂ）正面図、ならびに（ｃ）花冠支持部材を花冠に取り付けた例を模式的に示した図である。
【図２】図２は、補強部材を備える本考案の花冠支持部材の一例の（ａ）平面図および（ｂ）正面図を模式的に示した図である。
【図３】図３は、保護部を備える本考案の花冠支持部材の一例として、円錐面タイプの保護部を備える花冠支持部材を模式的に示した図である。図３（ａ）は平面図、（ｂ）は正面図、（ｃ）は花冠支持部材を花冠に取り付けた例を示す。
【図４】図４は、保護部を備える本考案の花冠支持部材の一例として、円筒タイプの保護部を備える花冠支持部材を模式的に示した図である。図４（ａ）は平面図、（ｂ）は正面図、（ｃ）は花冠支持部材を花冠に取り付けた例を示す。
【図５】図５は、切断部を備える本考案の花冠支持部材の一例を模式的に示した図である。
【符号の説明】
【００２６】
１    萼部
２    花軸
３    凹部
４    挿通部
５    保護部
６    切断部
７    補強部材
８    周辺部
【図１】
0003122314.tif 000003
【図２】
0003122314.tif 000004
【図３】
0003122314.tif 000005
【図４】
0003122314.tif 000006
【図５】
0003122314.tif 000007